(57)【要約】【課題】操作性及び可搬性に優れた投写型表示装置を提供する。【解決手段】プロジェクタ１のケース本体２の設置部３を設置面に付けて傾け、同ケース本体２を手で支えるとともに、ハンドル１７の把持部２０を設置面に沿って滑らせながら、スクリーン２６に光像を投写させる。そして、前記光像が前記スクリーン２６に収まるように投写角度を調整し、同スクリーン２６に収まる投写角度となったところで、ストッパ２３を押して、ハンドル１７を固定し、投写角度を保持する。そして、ダイヤル６を回転させ、投写レンズ５のピントを調整して、前記スクリーン２６に前記光像を明確に表示させる。【選択図】        図４
2004264608.tif 000002
【特許請求の範囲】
【請求項１】
ケース本体に持ち運びの際に把持するハンドルを備え、入力された画像情報に基づいて光像を投写レンズから投写し表示する投写型表示装置において、
前記ハンドルを前記ケース本体に対して、持ち運び使用位置と、設置面に設置し投写角度を調整するための角度調整位置との間で回動可能に支持するとともに、
前記投写レンズが形成された面と反対側の前記ケース本体の面を断面円弧状の曲面にし、
その曲面を前記設置面に付けた状態で、前記ハンドルの前記設置面に対する設置位置を調整することによって投写角度を設定することを特徴とする投写型表示装置。
【請求項２】
請求項１に記載の投写型表示装置において、
前記投写型表示装置は、前記ハンドルを前記ケース本体に対して回動不能に固定するための固定手段を備えたことを特徴とする投写型表示装置。
【請求項３】
請求項１又は２に記載の投写型表示装置において、
前記投写型表示装置は、前記投写レンズを被覆するためのカバーを備え、
前記カバーは前記投写レンズを保護するとともに、前記投写型表示装置に情報を入力する情報伝送用ケーブルを収容するための収納空間を有することを特徴とする投写型表示装置。
【請求項４】
請求項３に記載の投写型表示装置において、
前記投写型表示装置は、前記ハンドルを把持して持ち運びをされる際に、前記ケース本体が回動して、前記投写レンズが形成された同ケース本体の面が前記ハンドルに直接対向するように構成されることを特徴とする投写型表示装置。
【請求項５】
請求項１〜４に記載の投写型表示装置において、
前記本体の少なくとも一部分は、ゴム等の弾性部材によって形成されていることを特徴とする投写型表示装置。
【発明の詳細な説明】
【０００１】
【発明の属する技術分野】
本発明は、投写型表示装置に関する。
【０００２】
【従来の技術】
従来、投写型表示装置の一形式として、プロジェクタが広く知られている。プロジェクタは、入力された画像情報に応じて光像を形成し、形成された光像を投写レンズからスクリーンに投写し拡大表示する。また、最近では、プロジェクタ本体の小型化が進んだことによって、持ち運びがし易い大きさとなっている。
【０００３】
この種のプロジェクタでは、持ち運びに便利なように、その本体に持ち運び用のハンドルを備えていることが多い。このハンドルは、一般に、プロジェクタ本体に取り付けられている。そして、持ち運びの際に、このハンドルを握って持ち上げることによって、運ぶことができる。
【０００４】
このようなハンドルを備えたプロジェクタが種々提案されている（例えば、特許文献１）。
特許文献１では、板金加工によって、ケース本体にハンドルを取り付けるためのハンドル取り付け部を形成し、同ハンドル取り付け部に軸部材を介して、ハンドルを取り付け、さらに、同ハンドルと同ハンドル取り付け部の取り付け箇所を目隠し部材にて覆うことによって外観よく取り付けている。
【０００５】
【特許文献１】
特開２００２−１０７８１６号公報
【０００６】
【発明が解決しようとする課題】
しかしながら、特許文献１のプロジェクタでは、目的の設置場所に設置した後、プロジェクタ本体の底部に設けられた位置調整機構を調整することによって、プロジェクタ本体を傾け、スクリーンに対しての画像の投写角度を調整していた。そのため、プロジェクタの設置場所やスクリーンの位置に応じて、位置調整機構にて投写角度を変えなければならず、操作性が悪く、適切な投写角度を確保するのに時間を要した。
【０００７】
本発明は、上記問題点を解消するためになされたものであって、その目的は、操作性及び可搬性に優れた投写型表示装置を提供することにある。
【０００８】
【課題を解決するための手段】
本発明における投写型表示装置は、ケース本体に持ち運びの際に把持するハンドルを備え、入力された画像情報に基づいて光像を投写レンズから投写し表示する投写型表示装置において、前記ハンドルを前記ケース本体に対して、持ち運び使用位置と、設置面に設置し投写角度を調整するための角度調整位置との間で回動可能に支持するとともに、前記投写レンズが形成された面と反対側の前記ケース本体の面を断面円弧状の曲面にし、その曲面を前記設置面に付けた状態で、前記ハンドルの前記設置面に対する設置位置を調整することによって投写角度を設定する。
【０００９】
これによって、前記曲面を前記設置面に付けて前記ケース本体を傾けるとともに、前記ハンドルにて前記ケース本体を支えることによって、前記投写角度の調整ができる。また、前記投写角度は、断面円弧状の前記曲面を設置面に付けて調整するので、連続して投写角度の設定ができ、前記投写型表示装置の操作性が向上される。また、前記ハンドルが、持ち運びの際のハンドルと従来のプロジェクタの位置調整機構を兼ねているので、プロジェクタの構成は、簡素化される。これによって、前記プロジェクタを構成する部材数が少なくなり生産工程が減るので、生産効率が向上し、生産コストを低減することができる。
【００１０】
この投写型表示装置は、前記ハンドルを前記ケース本体に対して回動不能に固定するための固定手段を備えた。
これによって、前記投写型表示装置は、前記固定手段によって前記ハンドルは固定され回動不能になる。つまり、前記ハンドルによって調整される前記投写型表示装置の投写角度をより確実に保持することができる。
【００１１】
この投写型表示装置は、前記投写レンズを被覆するためのカバーを備え、前記カバーは前記投写レンズを保護するとともに、前記投写型表示装置に情報を入力する情報伝送用ケーブルを収容するための収納空間を有する。
【００１２】
これによって、前記投写型表示装置と、前記伝送用ケーブルとを一体として、持ち運びすることができるので、同投写型表示装置の可搬性が向上する。さらに、前記情報伝送用ケーブルの紛失を防ぐことができる。
【００１３】
この投写型表示装置は、前記ハンドルを把持して持ち運びをされる際に、前記ケース本体が回動して、前記投写レンズが形成された同ケース本体の面が前記ハンドルに直接対向するように構成される。
【００１４】
これによって、前記ケース本体の前記投写レンズが形成された面は、前記ハンドルに対向するので、前記カバーを装着した状態での持ち運びの際には、前記カバーは、前記ハンドルと直接対向し、さらに、前記ケース本体の前記面の上に位置している。従って、前記カバーが、脱落することを防ぐことができ、前記投写型表示装置の可搬性は向上する。
【００１５】
この投写型表示装置は、前記本体の少なくとも一部分は、ゴム等の弾性部材によって形成されている。
これによって、前記投写型表示装置は、緩衝性が向上する。また、ゴムを用いた場合には、発色性がよく審美性が向上する。
【００１６】
【発明の実施の形態】
以下、本発明の投写型表示装置をプロジェクタに具体化した本実施形態を図１〜図４に従って説明する。
【００１７】
図１は、本実施形態におけるプロジェクタの概略を説明するための斜視図である。図２は、同プロジェクタの投写角度の範囲を説明するための斜視図である。図３は、同プロジェクタのカバーの取り付けを説明するための斜視図である。図４は、同プロジェクタの動作を説明するための斜視図である。
【００１８】
図１に示すように、プロジェクタ１は、ケース本体２を備え、同ケース本体２の後部には、断面円弧状の曲面を有した設置部３が形成されている。
本実施形態では、前記ケース本体２の表面は、弾性部材としてゴム素材によって、コーティング加工が施されている。これによって前記ケース本体２は、緩衝性を向上させている。
【００１９】
前記ケース本体２の前記設置部３に対向する同ケース本体２の正面４には、光像を投写するための投写レンズ５が設けられている。前記投写レンズ５には、円環状に形成されたピント調整用のダイヤル６が設けられ、同ダイヤル６をその周方向に回転させることによって、前記投写レンズ５から投写される光像のピントを調整することができる。
【００２０】
前記ケース本体２の側面７には、動画情報入力端子８、スピーカ９、電源ケーブル１０、巻き取りスイッチ１１が設けられている。前記動画情報入力端子８は、音声情報及び画像情報とを含む動画情報を図示しない外部装置から前記プロジェクタ１に入力するための端子である。従って、プロジェクタ１は、前記動画情報に含まれる前記画像情報に基づいて光像を前記投写レンズ５から投写し、前記音声情報に基づいて音を前記スピーカ９から出力する。
【００２１】
前記電源ケーブル１０は、その端部に電源プラグ１２を有し、同電源プラグ１２を電源に接続することによって、プロジェクタ１に電源を供給する。前記電源ケーブル１０は、前記ケース本体２内に設けた図示しない巻取り機構によって、同ケース本体２内に収納される。そして、前記電源ケーブル１０が前記ケース本体２内に収納されているとき、前記電源プラグ１２のみが外部に露出されている状態となっている。また前記電源ケーブル１０の長さを延長させたいときには、前記電源プラグ１２を引き出すことによって、同電源ケーブル１０を延長することができる。そして、前記電源ケーブル１０を前記ケース本体２内に収納するときには、前記巻き取りスイッチ１１を押すと、前記巻き取り機構によって、前記電源ケーブル１０は、巻き取られ、同ケース本体２内に収納することができる。
【００２２】
前記設置部３に連設する上面１３には、電源スイッチ１４、音量調整スイッチ１５，１６が設けられている。
前記ケース本体２には、コ字状に形成されたハンドル１７が回動可能に取着されている。同ハンドル１７は、一対のアーム１８，１９と、そのアーム１８，１９間に回動可能に連結された把持部２０からなる。同アーム１８，１９の基端部は、前記側面７と同側面７に対向する側面２１に設けた軸部材２２（側面２１の軸部材は図示せず）に対して回動可能に支持されている。従って、前記プロジェクタ１は、前記把持部２０を把持して、同プロジェクタ１を持ち上げることによって、持ち運びをすることができる。
【００２３】
前記アーム１８の基端部には、固定手段としてのストッパ２３が設けられ、同ストッパ２３を押すことによって、同アーム１８が前記軸部材２２に対しては固定される。つまり、本実施形態では、前記ストッパ２３を押すことにより、前記アーム１８が前記軸部材２２と同ストッパ２３との間で狭持固定される。従って、同アーム１８は、回動不能となり、これに応じて前記ハンドル１７はケース本体２に対して回動不能となる。
【００２４】
本実施形態では、前記アーム１８，１９は、前記ハンドル１７を回動させる際に、前記ケース本体２に前記把持部２０が接触しない十分な長さで構成されている。従って、ハンドル１７は、前記プロジェクタ１の投写角度を設定することができる。
【００２５】
つまり、図２に示すように、前記プロジェクタ１は、設置場所において前記設置部３を設置面Ｓに付けて前記ケース本体２を傾けるとともに、前記ハンドル１７の把持部２０を設置面Ｓに付ける。そして、ストッパ２３を押して同ハンドル１７を固定し支えることによって、プロジェクタ１は、投写角度θを確保することができる。従って、前記プロジェクタ１は、前記投写レンズ５の投写先を視認しながら円弧状の前記設置部３を設置面Ｓに付けて手でケース本体２を連続して傾けることができる。その結果、投写角度θの設定の際に、視線を頻繁に動かすことがなく投写角度θの微調整を正確に行うことができる。また、図２に示すように、前記投写角度θは、０度から９０度までの範囲を取ることができる。
【００２６】
前記プロジェクタ１は、着脱可能なカバー２４を備えている。前記カバー２４には、前記正面４を被覆するように前記ケース本体２が装着される。これによって、図３に示すように、前記投写レンズ５は、前記カバー２４によって保護される。また、前記カバー２４と前記正面４によって形成される空間内には、前記動画情報入力端子８に接続し動画情報を伝送するための情報伝送用ケーブル２５が収納される。そして、前記プロジェクタ１の持ち運びの際には、プロジェクタ１の重心の位置によって図３に示すように、ケース本体２のハンドル１７に対して相対回動して前記カバー２４は、上方、即ち前記ハンドル１７の把持部２０の方向に向く。
【００２７】
次に、上記のように構成された前記プロジェクタ１の使用方法を説明する。
図４に示すように、前記電源ケーブル１０を引き出して前記電源プラグ１２を図示しない電源に接続する。そして、前記電源スイッチ１４を押し、前記プロジェクタ１を起動する。次に、前記ケース本体２の前記動画情報入力端子８に前記情報伝送用ケーブル２５の一方の端子を接続し、同情報伝送用ケーブル２５の他方の端子を図示しない外部装置に接続する。従って、前記プロジェクタ１には、前記外部装置から動画情報が入力される。また、これに応じて、前記投写レンズ５からは、前記動画情報に含まれる画像情報に基づいた光像が投写される。
【００２８】
次に、前記プロジェクタ１の前記ケース本体２を前記設置部３を設置面Ｓに付けて傾け、前記ケース本体２を手で支えるとともに、前記ハンドル１７の前記把持部２０を同設置面Ｓに沿って滑らせながらスクリーン２６に光像を投写させる。つまり、前記光像が前記スクリーン２６に収まるように投写角度θを調整し、同スクリーン２６に収まる投写角度θとなったところで、上述したように、前記ストッパ２３を押して、前記ハンドル１７を固定し、前記投写角度θを保持する。
【００２９】
次に、前記ダイヤル６を回転させ、前記投写レンズ５のピントを調整して、前記スクリーン２６に前記光像を明確に表示させる。
上記した本実施形態によれば、以下の作用効果を奏する。
【００３０】
（１）本実施形態では、前記プロジェクタ１の投写角度θは、前記ケース本体２を曲面状に形成された前記設置部３を設置面Ｓに付けて傾けるとともに、前記ハンドル１７を固定し支えることによって調整できるように構成した。従って、前記プロジェクタ１は、前記投写レンズ５の投写先を視認しながら断面円弧状の前記設置部３を設置面Ｓに付けて手で連続してケース本体２を傾けることができる。つまり、前記プロジェクタ１は、投写角度θの設定の際に、視線を頻繁に動かすことがないので、投写角度θの微調整を正確に行うことができ、操作性が向上されている。また、前記ハンドル１７が、持ち運びの際のハンドルと従来のプロジェクタの位置調整機構を兼ねているので、プロジェクタ１の構成は、簡素化される。これによって、前記プロジェクタ１を構成する部材数が少なくなり生産工程が減るので、生産効率が向上し、生産コストを低減することができる。
【００３１】
（２）本実施形態では、前記カバー２４に前記情報伝送用ケーブル２５を収納できるようにした。従って、前記プロジェクタ１の運搬の際に、前記情報伝送用ケーブル２５を一緒に運ぶことができる。その結果、前記プロジェクタ１の可搬性を向上することができる。また、前記情報伝送用ケーブル２５の紛失を防ぐことができる。
【００３２】
（３）本実施形態では、前記側面７に前記動画情報入力端子８と電源ケーブル１０を設けた。これによって、前記プロジェクタ１の設置部３が、延長された前記電源ケーブル１０や、前記動画情報入力端子８に接続された前記情報伝送用ケーブル２５を踏むことが無くなった。その結果、前記プロジェクタ１は、安定して前記設置部３を設置面Ｓに付けて傾けることができ、正確な投写角度を確保することができる。
【００３３】
（４）本実施形態では、前記ケース本体２の表面にゴム素材でコーティング加工を施した。これによって、ケース本体２の緩衝性が向上した。さらに、ゴム素材を用いたことのよって、前記設置部３は滑り止めの効果を有し、前記ケース本体２の前記設置部３は、設置面Ｓに付けて傾ける際に滑ることがない。
【００３４】
（５）本実施形態では、前記プロジェクタ１の前記投写角度θは、図２に２点鎖線で示すように、９０度に取ることができるように構成した。従って、設置面Ｓに対して垂直方向に投写することができる。これによって、大型のスクリーンを設けるスペースが無いときに、天井等に投写することができる。
【００３５】
尚、発明の実施の形態は、上記実施形態に限定されるものではなく、以下のように変更してもよい。
・本実施形態では、前記動画情報入力端子８から入力される動画情報に応じて、前記投写レンズ５から光像を投写したが、この限りではない。例えば前記ケース本体２にＤＶＤプレイヤー等の外部装置を内蔵させ、ここから出力される動画情報に応じて光像を前記投写レンズ５から投写してもよい。
【００３６】
・本実施形態では、前記プロジェクタ１から動画を投写したが、この限りではなく、静止画を投写してもよい。また、プリンターに接続しこの静止画を印刷できるように適宜変更してもよい。
【００３７】
・本実施形態では、前記アーム１８に固定手段としてストッパ２３を設けたが、この限りではない。前記ハンドル１７を固定し回動不能として、前記ケース本体２を支え、投写角度を確保することができるものであれば、どんな手段でもよい。
【００３８】
・本実施形態では、断面円弧状の曲面を有した設置部３を形成したが、この限りではなく、例えば、ケース本体２の設置部３を半球状に形成し、その球面を設置面Ｓにつけて、前記投写角度θを調整できるように適宜変更してもよい。
【図面の簡単な説明】
【図１】本実施形態におけるプロジェクタの概略を説明するための斜視図。
【図２】同プロジェクタの投写角度の範囲を説明するための斜視図。
【図３】同プロジェクタのカバーの取り付けを説明するための斜視図。
【図４】同プロジェクタの動作を説明するための斜視図。
【符号の説明】
１…投写型表示装置としてのプロジェクタ、２…ケース本体、３…断面円弧状の曲面を有した設置部、５…投写レンズ、１７…ハンドル、２３…固定手段としてのストッパ、２４…カバー、２５…情報伝送用ケーブル、Ｓ…設置面、θ…投写角度。
【図１】
2004264608.tif 000003
【図２】
2004264608.tif 000004
【図３】
2004264608.tif 000005
【図４】
2004264608.tif 000006